(57)【要約】【課題】信頼性が高く、かつ、液晶表示パネルのリペアが可能な、一方向に曲率を持つシリンドリカルな画面を有する液晶表示装置を実現する。【解決手段】ＴＦＴ基板１０１とカラーフィルタ基板１０２とで構成される液晶表示パネルは前面板１３と背面板１４の間に挟持され、さらに、前面フレーム１１とバックライト２０に挟まれて所定の曲率となる。通常はカラーフィルタ基板１０２に貼り付けられる上偏光板１０３は前面板１３に貼り付けられ、通常はＴＦＴ基板１０１に貼り付けられる下偏光板１０４は背面板１４に貼り付けられる。これによって信頼性の高い、画面が曲面である液晶表示パネルを実現できる。また、製造工程において不具合が生じても液晶表示パネルのリペアが可能になる。【選択図】図８
2010002487.tif 000002
【特許請求の範囲】
【請求項１】
画素電極およびＴＦＴが形成されたＴＦＴ基板と、カラーフィルタが形成されたカラーフィルタ基板と、前記カラーフィルタ基板と前記ＴＦＴ基板との間に液晶が挟持された液晶表示パネルと、前記液晶表示パネルの周辺部を覆って前記液晶表示パネルを収容する前面フレームとバックライトを有する液晶表示装置であって、
前記ＴＦＴ基板および前記カラーフィルタ基板はガラスで形成され、
前記液晶表示パネルの前記カラーフィルタ基板側には前面板が設置され、前記前面板と前記カラーフィルタ基板との間には上偏光板が設置され、前記上偏光板は前記前面板と接着し、
前記液晶表示パネルの前記ＴＦＴ基板側には背面板が設置され、前記背面板と前記ＴＦＴ基板との間には下偏光板が設置され、前記下偏光板は前記背面板と接着し、
前記前面フレームは曲面を有しており、前記液晶表示パネルは前記フレームの曲面によって規定される曲面となっていることを特徴とする液晶表示装置。
【請求項２】
前記バックライトは導光板を有し、前記導光板の上曲面は前記液晶表示パネルの前記曲面と一致することを特徴とする請求項１に記載の液晶表示装置。
【請求項３】
前記液晶表示パネルの前記曲面は外側に凸であることを特徴とする請求項１に記載の液晶表示装置。
【請求項４】
前記液晶表示パネルの前記曲面は外側に凹であることを特徴とする請求項１に記載の液晶表示装置。
【請求項５】
画素電極およびＴＦＴが形成されたＴＦＴ基板と、カラーフィルタが形成されたカラーフィルタ基板と、前記カラーフィルタ基板と前記ＴＦＴ基板との間に液晶が挟持された液晶表示パネルと、前記液晶表示パネルの周辺部を覆って前記液晶表示パネルを収容する前面フレームとバックライトを有する液晶表示装置であって、
前記ＴＦＴ基板および前記カラーフィルタ基板はガラスで形成され、
前記カラーフィルタ基板には上偏光板の一部が接着し、前記上偏光板の上には前面板が設置され、前記ＴＦＴ基板には下偏光板の一部が接着し、前記下偏光板の下には背面板が設置され、
前記前面フレームは曲面を有しており、前記液晶表示パネルは前記フレームの曲面によって規定される曲面となっていることを特徴とする液晶表示装置。
【請求項６】
前記バックライトは導光板を有し、前記導光板の上曲面は前記液晶表示パネルの前記曲面と一致することを特徴とする請求項５に記載の液晶表示装置。
【請求項７】
前記液晶表示パネルの前記曲面は外側に凸であることを特徴とする請求項５に記載の液晶表示装置。
【請求項８】
前記液晶表示パネルの前記曲面は外側に凹であることを特徴とする請求項５に記載の液晶表示装置。
【発明の詳細な説明】
【技術分野】
【０００１】
本発明は液晶表示装置に係り、特に表示画面が曲面となっている液晶表示装置に関する。
【背景技術】
【０００２】
液晶表示装置は、ディスプレイ装置を薄くできること、重量が大きくならないこと等から、コンピュータ用ディスプレイ、携帯電話用端末等からＴＶ等にいたるまで、需要が拡大している。液晶表示装置は、本来はフラットディスプレイとして開発されたものであるが、液晶表示パネルは薄くできることから画面が曲面である表示装置にも使用され始めている。
【０００３】
液晶表示パネルはガラスを薄くすることによって湾曲させることが可能なために、特にシリンドリカルな曲面を有する表示装置とてしての需要が存在する。このような液晶表示装置の用途としては、スロットマシーン遊技機、パチンコ等のアミューズメント用途、展示場や駅等における円柱等に配置する曲面ディスプレイとしての用途等がある。
「特許文献１」にはガラス基板を湾曲できるように薄くし、ガラス基板に基板補強層を接着することによってガラス基板を補強する技術が記載されている。また、「特許文献１」には基板補強層として偏光板を使用することが記載されている。
【０００４】
【特許文献１】特開２００３−２８０５４８号公報
【発明の開示】
【発明が解決しようとする課題】
【０００５】
「特許文献１」に記載の液晶表示装置はガラス基板に直接基板補強層を形成している。その例として、ガラス基板に偏光板を接着させて基板補強層としているが、偏光板のみでは、十分な補強とすることは困難である。すなわち、「特許文献１」に記載の液晶表示パネルを前面フレームに配置すると、前面フレームの表示領域から液晶表示パネルが飛び出てしまうという問題が生ずる。
【０００６】
一方、ガラス基板に直接偏光板以外の基板補強層を配置することも考えられるが、この構成だと、偏光板と偏光板の間に別な層が加わることになって、偏光解消が生ずる可能性がある。
【０００７】
さらに、「特許文献１」に記載の液晶表示装置では、基板補強層を直接液晶表示パネルに貼り付けるために、生産工程で不具合が生じた時に、リペアをして液晶表示パネルを再生することが不可能であるという問題を生ずる。
【０００８】
すなわち、ＴＦＴ（薄膜トランジスタ）や画素電極を有する画素がマトリクス状に形成されたＴＦＴ基板とカラーフィルタが形成されたカラーフィルタ基板との間に液晶層を挟持することによって液晶セルが形成される。液晶表示パネルは液晶セルに偏光板を接着することによって形成される。
【０００９】
液晶セルが良品であっても、偏光板を貼り付けて液晶表示パネルに形成したときに不良となる場合があるが、この場合は、液晶セルは良品であるから、偏光板を剥がせば再び良品の液晶表示パネルとして使用することが出来る。ところが、偏光板あるいは基板補強層が液晶セルの強固に接着していれば、偏光板を液晶セルから剥がすときに、液晶セルを不良にしてしまう。
【００１０】
本発明の課題は以上のような問題点を解決し、画面が曲面でありながら、画質の低下を抑え、かつ、リペアが可能な液晶表示装置を実現することである。
【課題を解決するための手段】
【００１１】
本発明は以上のような問題点を解決するものであり、具体的な手段は次のとおりである。
【００１２】
（１）画素電極およびＴＦＴが形成されたＴＦＴ基板と、カラーフィルタが形成されたカラーフィルタ基板と、前記カラーフィルタ基板と前記ＴＦＴ基板との間に液晶が挟持された液晶表示パネルと、前記液晶表示パネルの周辺部を覆って前記液晶表示パネルを収容する前面フレームとバックライトを有する液晶表示装置であって、前記ＴＦＴ基板および前記カラーフィルタ基板はガラスで形成され、前記液晶表示パネルの前記カラーフィルタ基板側には前面板が設置され、前記前面板と前記カラーフィルタ基板との間には上偏光板が設置され、前記上偏光板は前記前面板と接着し、前記液晶表示パネルの前記ＴＦＴ基板側には背面板が設置され、前記背面板と前記ＴＦＴ基板との間には下偏光板が設置され、前記下偏光板は前記背面板と接着し、前記前面フレームは曲面を有しており、前記液晶表示パネルは前記フレームの曲面によって規定される曲面となっていることを特徴とする液晶表示装置。
【００１３】
（２）前記バックライトは導光板を有し、前記導光板の上曲面は前記液晶表示パネルの前記曲面と一致することを特徴とする（１）に記載の液晶表示装置。
【００１４】
（３）前記液晶表示パネルの前記曲面は外側に凸であることを特徴とする（１）に記載の液晶表示装置。
【００１５】
（４）前記液晶表示パネルの前記曲面は外側に凹であることを特徴とする（１）に記載の液晶表示装置。
【００１６】
（５）画素電極およびＴＦＴが形成されたＴＦＴ基板と、カラーフィルタが形成されたカラーフィルタ基板と、前記カラーフィルタ基板と前記ＴＦＴ基板との間に液晶が挟持された液晶表示パネルと、前記液晶表示パネルの周辺部を覆って前記液晶表示パネルを収容する前面フレームとバックライトを有する液晶表示装置であって、前記ＴＦＴ基板および前記カラーフィルタ基板はガラスで形成され、前記カラーフィルタ基板には上偏光板の一部が接着し、前記上偏光板の上には前面板が設置され、前記ＴＦＴ基板には下偏光板の一部が接着し、前記下偏光板の下には背面板が設置され、前記前面フレームは曲面を有しており、前記液晶表示パネルは前記フレームの曲面によって規定される曲面となっていることを特徴とする液晶表示装置。
【００１７】
（６）前記バックライトは導光板を有し、前記導光板の上曲面は前記液晶表示パネルの前記曲面と一致することを特徴とする（５）に記載の液晶表示装置。
【００１８】
（７）前記液晶表示パネルの前記曲面は外側に凸であることを特徴とする（５）に記載の液晶表示装置。
【００１９】
（８）前記液晶表示パネルの前記曲面は外側に凹であることを特徴とする（５）に記載の液晶表示装置。
【発明の効果】
【００２０】
本発明によれば、画面が曲面を有する液晶表示装置において、液晶表示パネルを前面板と背面板との間に挟み、前面板に上偏光板を貼り付け、背面板に下偏光板を貼り付けるので、信頼性の高い液晶表示装置を実現することが出来るとともに、不具合が出た時に偏光板を剥がしてリペアすることによって、液晶表示パネルを再生することが可能となり、トータルの製造コストを下げることが出来る。
【００２１】
また、本発明の別な面によれば、画面が曲面を有する液晶表示装置において、液晶表示パネルを前面板と背面板との間に挟み、上偏光板の一部をカラーフィルタ基板に貼り付け、下偏光板の一部をＴＦＴ基板に貼り付けるので、信頼性の高い液晶表示装置を実現することが出来るとともに、不具合が出た時に偏光板を剥がしてリペアすることによって、液晶表示パネルを再生することが可能となり、トータルの製造コストを下げることが出来る。
【発明を実施するための最良の形態】
【００２２】
実施例にしたがって、本発明の詳細な内容を開示する。
【実施例１】
【００２３】
図１は実施例１の表示装置の外観図である。図１は画面が外側に凸なディスプレイである。このような表示装置はアミューズメント用途、例えば、スロットマシーン遊技機等で使用される。図１において、液晶表示パネル１０は外側に湾曲している。外側に湾曲した液晶表示パネル１０は、本実施例では基板をガラスで形成する。すなわち、ガラス基板を薄くすることによって液晶表示パネル１０を曲げやすくし、曲面を持ったフレーム１１に収容することによって画面が曲面を有する液晶表示パネル１０を形成する。なお、図１では省略しているが、液晶表示パネル１０の上は透明な前面板１３によって覆われている。すなわち、前面板がフレーム１１と液晶表示パネル１０との間に設置されている。
【００２４】
図１において、液晶表示パネル１０は湾曲したフレーム１１によって表示部を残して覆われている。液晶表示パネル１０の背面にはバックライト２０が設置されている。このバックライト２０は後で説明するように種々の光学部品と光源とから構成されている。
【００２５】
画面が湾曲した液晶表示パネル１０をガラス基板を用いて形成することが出来れば、従来の液晶製造技術を利用でき、コスト的に、また、信頼性的に非常に有利である。ガラスをどの程度湾曲することができるかはガラスの板厚との兼ね合いで決まる。図２（ａ）は液晶表示パネル１０の板厚とガラスを破壊せずに湾曲することが出来る範囲を示す図である。図２（ｂ）は図２（ａ）のパラメータを示す図である。図２（ｂ）に示すように、液晶表示パネル１０はＴＦＴや画素電極が形成されたＴＦＴ基板１０１と、カラーフィルタ等が形成されたカラーフィルタ基板１０２を有し、ＴＦＴ基板１０１とカラーフィルタ基板１０２の間に液晶が挟持されている。そして液晶はシール材１１３によってシールされている。
【００２６】
液晶表示パネル１０を構成するガラス基板は例えば、０．７ｍｍ、あるいは０．５ｍｍというように規格化されている。したがって、より曲率をつけるためにガラス基板を薄くする場合は、液晶表示パネル１０を形成後、ガラス基板の外側を研磨して薄くする。研磨は機械研磨と化学研磨が併用される。この場合、ＴＦＴ基板１０１とカラーフィルタ基板１０２の両方を研磨する。液晶層１１４は数μｍであり、液晶表示パネル１０全体の厚さｔを考えれば無視することが出来る。
【００２７】
図２において、縦軸は液晶表示パネル１０の曲率半径である。この曲率の定義は図２（ｂ）に示すように、液晶表示パネル１０内側の曲率半径である。図２（ａ）における横軸のガラス厚さとは液晶表示パネル１０全体の厚さｔを表す。すなわち、図２（ａ）において横軸が０．２ｍｍのときはＴＦＴ基板１０１またはカラーフィルタ基板１０２の厚さは０．１ｍｍである。
【００２８】
図２（ａ）における直線Ｇはガラスの破壊限界線を示す。すなわち、直線Ｇよりも下であると、ガラス基板が破壊し、この直線Ｇより上であればガラス基板が破壊することは無い。曲率半径をＲとし、液晶表示パネル１０の厚さをｔとしたとき、直線ＧはＲ＝４００ｔの関係になる。すなわち、曲率半径Ｒが厚さの４００倍以下になるとガラス基板が破壊することになる。しかしながら、ガラスにキズ等が存在すれば、直線Ｇよりわずかに上側でもガラスは破壊する。したがって、実際の製品では直線Ｇの２倍の裕度を持たせ、Ｒ＝８００ｔの直線上あるいはそれよりも上側の領域を使用することが望ましい。本実施例による製品では、ガラス基板と曲率の関係では、図２（ａ）に示すように、直線Ｇよりも上側に余裕をもって設定される。
【００２９】
図３は本実施例の液晶表示装置の分解斜視図である。図３において、フレーム１１には曲面が形成されている。フレーム１１の曲面に沿って液晶表示パネル１０の表示面も曲面を有することになる。フレーム１１には、まず、透明な前面板１３が収容される。前面板１３の役割は下に配置される液晶表示パネル１０を保護することである。前面板はポリカーボネート、アクリル等の樹脂で形成されている。
【００３０】
前面板１３の下には上偏光板１０３が設置される。上偏光板１０３は前面板１３に貼り付けられている。上偏光板１０３の下にはＴＦＴ基板１０１とカラーフィルタ基板１０２で構成される液晶表示パネル１０が設置される。液晶表示パネル１０の下には下偏光板１０４が設置される。通常の液晶表示パネル１０には上偏光板１０３がカラーフィルタ基板１０２に、下偏光板１０４がＴＦＴ基板１０１に貼り付けられている。しかし、本実施例においては、液晶表示パネル１０を湾曲させるために、ＴＦＴ基板１０１およびカラーフィルタ基板１０２を薄く研磨している関係で、偏光板はガラス基板には貼り付けられていない。
【００３１】
液晶表示パネル１０は工程中の検査において、不良が発見されると、一旦貼り付けられた偏光板を剥離して、液晶表示パネル１０のみを再生する場合がある。しかし、本発明のように、ガラス基板を研磨によって薄くしている場合、偏光板を剥離する際にＴＦＴ基板１０１あるいはカラーフィルタ基板１０２が破損して、再生できなくなる場合がある。このために、本実施例においては、偏光板をガラス基板に貼り付けない。
【００３２】
その代わり、本実施例においては、上偏光板を前面板に貼り付けている。また、後で述べる下偏光板は背面板に貼り付けている。前面板も背面板も板厚は０．２ｍｍ程度であり、かつ、プラスチックで形成されているので、偏光板が貼り付けられても容易に湾曲させることが出来る。
【００３３】
上偏光板１０３の下にはカラーフィルタ基板１０２とＴＦＴ基板１０１が合わさった液晶表示パネル１０が設置される。前述のように、液晶表示パネル１０のカラーフィルタ基板１０２およびＴＦＴ基板１０１は曲率を持たせることができるように、研磨によって薄くしてある。液晶表示パネル１０の下側には下偏光板１０４が設置される。通常の液晶表示装置では下偏光板１０４はＴＦＴ基板１０１に貼り付けられているが、本実施例では上偏光板１０３と同様にＴＦＴ基板１０１には貼り付けられていない。その代わり、本実施例においては、下偏光板は背面板に貼り付けられている。
【００３４】
下偏光板１０４の下にはバックライト２０が設置される。図３では図示してないが、バックライト２０は導光板２０８、種々の光学シート、光源から構成されている。これらの部品のうち、導光板２０８の上側の曲面を表示画面の曲面と同一とし、導光板２０８を液晶表示パネル１０に押し付けることによって、光学シート、背面板、液晶表示パネル１０、前面板１３等に所定の曲率を持たせることが出来る。
【００３５】
図４は図１のＡ−Ａ断面図である。図４におけるフレーム１１の額縁部の曲率によって液晶表示パネル１０の表示部に所定の曲率を持たせる。フレーム１１の下には透明な前面板１３が設置される。前面板１３は液晶表示パネル１０を保護する。また、本実施例では、前述のように、上偏光板１０３は前面板に貼り付けられている。
【００３６】
液晶表示パネル１０は所定の曲面が形成出来る程度の薄さまでにガラス基板が研磨されている。すなわち、液晶表示パネル製作時点では液晶表示パネル１０は平面であるが、液晶表示パネル１０をフレーム１１内に設置するさい、液晶表示パネル１０に曲面が形成されて所定の曲面を持った画面が設定される。ＴＦＴ基板１０１とカラーフィルタ基板１０２の合計の板厚と曲率半径の関係は図２に示す直線Ｇよりも上側にある。液晶表示パネル１０の下には下偏光板１０４が設置される。下偏光板１０４は背面板に接着している。
【００３７】
図４において、光源と液晶表示パネルの間に種々の光学部品が配置されている。蛍光管３０を出た光、あるいは、背面フレーム１２で反射した光は先ず、拡散板２０５に入射する。拡散板２０５は板厚２ｍｍ程度のポリカーボネートで形成され、ある程度の剛性を持っている。拡散板２０５は図５に示すように、成型時に、液晶表示パネル１０の画面の曲面と同じ曲率を持つように形成される。また、拡散板には画面の曲面と同じ曲率を持つ凹部２０５１が形成され、各光学シートはこの拡散板の凹部２０５１に収容され、拡散板の凹部２０５１の曲面に沿った形で湾曲する。
【００３８】
拡散板２０５は光源からの光を均一にする役割を有する。すなわち、拡散板２０５によって、蛍光管３０の部分のみが明るくなって、画面の輝度が不均一になるのを防止する。拡散板２０５は光を拡散させるために、光の透過率は、ある程度は犠牲になる。本実施例における拡散板２０５の光の透過率は７０％程度である。
【００３９】
拡散板２０５を出た光は下拡散シート２０４を透過する。下拡散シート２０４は拡散板２０５から出た光をさらに均一にする役割を持つ。下拡散シート２０４の上には下プリズムシート２０３が設置される。下プリズムシート２０３には一定ピッチで例えば、画面横方向に延在するプリズムが多数形成されており、バックライト２０から画面の縦方向に広がろうとする光を液晶表示パネル１０の画面鉛直方向に集束する。すなわち、プリズムシートを使用することによって正面輝度を上げることが出来る。
【００４０】
下プリズムシート２０３の上には上プリズムシート２０２が設置される。上プリズムシート２０２には一定ピッチで下プリズムシート２０３とは直角方向、例えば、画面縦方向に延在するプリズムが多数形成されている。これによって、バックライト２０から、画面横方向に広がろうとする光を液晶表示パネル１０の面と鉛直方向に集束する。このように、下プリズムシート２０３と上プリズムシート２０２を用いることによって画面の縦、横方向に広がろうとする光を画面の鉛直方向に集束することが出来る。
【００４１】
上プリズムシート２０２の上には上拡散シート２０１が設置されている。プリズムシートには一定方向に延在するプリズムが例えば、５０μｍピッチで形成されている。すなわち、５０μｍのピッチによって明暗の縞が形成されることになる。一方、液晶表示パネル１０には、一定ピッチで走査線が画面横方向に、あるいはデータ信号線が画面縦方向に形成されている。したがって、走査線ピッチあるいはデータ信号線のピッチによって明暗の縞が形成される。そうするとプリズムの明暗の縞と液晶表示パネル１０の明暗の縞とが干渉を起こし、モアレを発生する。上拡散シート２０１は拡散作用によってこのモアレを軽減する役割を有する。
【００４２】
以上説明した光学シートは拡散板２０５の上に載置される。各光学シートは５０μｍから６０μｍ程度と薄いために、拡散板２０５の上に載置するだけで拡散板２０５と同様な曲率となる。一方液晶表示パネルはフレーム内に収容されることによってフレームに予め形成された曲面と同様な曲率をもつことになる。また、液晶表示パネルは光学シートを載置した曲面を有する拡散板によって前面フレームに押し付けられ、曲面が確定する。
【００４３】
図６は前面フレームと、前面板と背面板に挟まれた液晶表示パネルと、バックライトの斜視図である。バックライトは省略して記載されている。液晶表示パネルはこの状態では平面であるが、前面フレームと拡散板を始めとするバックライトに挟持されることによって所定の曲率をもつことになる。図７はこの様子を示す断面図である。図７において、ＴＦＴ基板１０１、カラーフィルタ基板１０２、上偏光板１０３、下偏光板１０４、前面板１３、背面板１４を含む液晶表示パネルは前フレーム１１とバックライト２０によってサンドイッチされて曲面が確定する。
【００４４】
図８は液晶表示パネルが図７に示すような状態になる前の構成である。図８において、上偏光板は前面板に貼り付けられている。一方、下偏光板は背面板に貼り付けられている。その後、前面板と上偏光板、および、背面板と下偏光板が液晶表示パネルと重ねあわされる。
【００４５】
上偏光板と下偏光板とは液晶表示パネルと接着していないので、偏光板を貼り付けた後、不良が発生しても液晶表示パネルを再生することが出来る。さらに、上偏光板は面板に貼り付けられているので、偏光板が前面フレームから飛び出ることも無い。また、下偏光板は背面板によって安定して設置される。
【００４６】
図９は、このようにして形成された面板付の液晶表示パネルを液晶表示装置に組立てる方法の例である。図９において、液晶表示パネルは前面フレーム内に押し付けられることによって、前面フレームと同じ曲面が形成される。その後、拡散板を始めとするバックライトを液晶表示パネルに押し付けて、液晶表示パネルの曲率を安定して設定する。前面フレームの曲率とバックライトの表面の曲率は同じである。前面フレームとバックライトとは、図示しないフック等によって組立てし、固定する。
【００４７】
図１０は、面板付の液晶表示パネルを液晶表示装置に組立てる方法の他の例である。図１０において、液晶表示パネルは先ず、バックライトに押し付けられてバックライトと同じ曲率に設定される。その後、液晶表示パネルに前面フレームをかぶせることによって液晶表示パネルの曲率を確定する。前面フレームの曲率とバックライトの表面の曲率は同じである。前面フレームとバックライトとは、図示しないフック等によって組立てし、固定することは同様である。
【実施例２】
【００４８】
実施例１の例は偏光板を液晶表示パネル１０のＴＦＴ基板１０１、カラーフィルタ基板１０２等に貼り付けず、前面板あるいは背面板に貼り付ける場合の例である。しかし、部品精度その他の問題から液晶表示パネル１０と偏光板の組み立て精度が十分に取れない場合がある。しかし、従来のように偏光板を液晶表示パネル１０のガラス基板に貼り付けてしまうと不良が生じたときの再生が不可能になる。
【００４９】
この場合、図１１に示すように、偏光板の一部を接着部材あるいは粘着部材１０３１を介してカラーフィルタ基板１０２あるいはＴＦＴ基板１０１に固定することによって偏光板を安定して設置することが出来る。この場合、接着剤あるいは粘着材１０３１を付ける位置は、液晶表示パネル１０において、ＴＦＴ基板１０１とカラーフィルタ基板１０２が２枚重ねになった部分、例えば図１１のＡ部あるいはＢ部がよい。２枚重ねの部分は強度が強いために、再生時、偏光板を剥離するさい、液晶表示パネル１０が破損することを防止することが出来る。
【００５０】
図１２は上偏光板がカラーフィルタ基板に、下偏光板がＴＦＴ基板に一部接着した形で重ね合わされている状態を示す。そして、上偏光板に前面板が重ね合わされ、下偏光板に背面板が重ね合わされる。このようにして、前面板と背面板とに挟まれた液晶表示パネルは前面フレームとバックライトによってサンドイッチされ、所定の曲面に設定される。
【実施例３】
【００５１】
実施例１および実施例２は液晶表示装置の画面が外側に凸の場合である。液晶表示装置を利用した本発明の利点は画面が凹の場合も形成できることである。画面が凹の場合は液晶表示装置の特徴をさらに生かすことが出来る。
【００５２】
図１３は液晶表示パネル１０の視野角特性である。液晶表示パネル１０の画質の問題点の一つは、画面を見る角度によって、輝度、色度等が変化することである。図１３は通常のＴＮ方式の液晶表示装置における視野角特性である。図１３において、縦軸は輝度を表す。画面鉛直方向から見た場合の輝度を１００％としている。図１３の横軸は画面を見る角度である。すなわち、鉛直方向から画面を見た場合を０度とし、鉛直方向からずれる角度を横軸に取っている。図１３に示すように、液晶画面を垂直方向から３０度ずらしてみると輝度は４０％近くにまで減少してしまうことになる。また、輝度の減少は各色ごとに異なるために、視野角によって色が変化してしまうという問題も生ずる。
【００５３】
この視野角特性は液晶表示装置の方式によって異なる。例えば、液晶分子をＴＦＴ基板１０１と平行方向に回転させることによって光の透過を制御するＩＰＳ（Ｉｎ  Ｐｌａｎｅ  Ｓｗｉｔｃｈｉｎｇ）方式の液晶は通常のＴＮ方式の液晶に比して優れた視野角特性を示す。いずれにせよ、画面が平面あるいは画面が外側に凸の場合は液晶表示パネル１０の視野角特性を向上させて対処する必要がある。
【００５４】
図１４は本実施例による液晶表示装置の外観図である。図１４は図１とは逆に、画面は外側に凹の曲面を有している。したがって、図１４に示すような画面は、先に述べた液晶の視野角特性の問題を軽減することが出来る。図１４において、画面が外側に凹である他は図１と同様である。すなわち、外側に凹となっているフレーム１１内に液晶表示パネル１０を設置することによって、液晶表示パネル１０を湾曲させ、曲面を持った画面を形成する。液晶表示パネル１０をガラスで製作する場合、液晶表示パネル１０の曲率半径と液晶表示パネル１０の厚さとの関係は図２と同様である。液晶表示パネル１０の背面にはバックライト２０が設置さていることも図１と同様である。
【００５５】
図１４に示す液晶表示装置の分解断面図は、曲率の向きが外に凹となっている他は、図４に示す分解断面図と同様である。本実施例においても、前面板と背面板に挟まれた液晶表示パネルは当初は平面であるが、拡散板を始めとするバックライトと前面フレームに挟持されることによって曲面が形成される。
【００５６】
図１５は、上偏光板が前面板に貼り付けられ、下偏光板が背面板に貼り付けられた状態を示す液晶表示装置の分解断面図である。図１５においては、偏光板は液晶表示パネルに貼り付けられていないので、製造工程で不具合が主自他時に液晶表示パネルを再生することが可能である。図１５において、前面板と背面板に挟まれた液晶表示パネルは、前面フレームとバックライトとによって挟持されることによって所定の曲面が設定される。
【００５７】
図１６は、本実施例の他の形態である。図１６は実施例２と同様に、上偏光板の一部はカラーフィルタ基板に貼り付けられ、下偏光板の一部はＴＦＴ基板に貼り付けられている。この様子は、図１１に示すのと同様である。
【００５８】
その後、前面板と背面板が液晶表示パネルに重ねあわされる。さらに、液晶表示パネルはバックライトと前面フレームとの間に押し付けられ、挟持されて所定の曲率が設定される。
【００５９】
図１５あるいは図１６の場合の液晶表示パネルの曲率の設定の仕方は、画面が外側に凸の場合の図９に示すように、まず、前面フレームに押し付けて所定の曲率に設定した後、バックライトを押し付けることによって曲率を確定しても良いし、図１０に示すように、まず、バックライトの表面に押し付けて所定の曲率に設定したあと、前面フレームに挿入して曲率を確定しても良い。
【図面の簡単な説明】
【００６０】
【図１】実施例１の液晶表示装置の概観図である。
【図２】ガラスの曲率と厚さの関係を示すグラフである。
【図３】液晶表示パネルの分解斜視図である。
【図４】液晶表示装置の分解断面図である。
【図５】拡散板の斜視図である。
【図６】液晶表示パネルを前面板と背面板で挟んだ状態の斜視図である。
【図７】液晶表示パネルを前面板と背面板で挟んだ状態の断面図である。
【図８】上偏光板を前面板に、下偏光板を背面板の接着した図である。
【図９】液晶表示パネルを前面フレーム内面に沿わせた図である。
【図１０】液晶表示パネルに対し、拡散板によって曲面を形成する断面図である。
【図１１】上偏光板および下偏光板の一部を液晶表示パネルにはりつけた図である。
【図１２】液晶表示パネルに対し、曲面を形成する説明図である。
【図１３】液晶表示装置の視野角特性の例を表す図である。
【図１４】実施例３の液晶表示装置の概観図である。
【図１５】実施例３の液晶表示装置の製造工程の例である。
【図１６】実施例３の液晶表示装置の製造工程の他の例である。
【符号の説明】
【００６１】
１０…液晶表示パネル、１１…前面フレーム、  １２…背面フレーム、  １３…前面板、  １４…背面板、  ２０…バックライト、  ３０…蛍光管、  ３１…ソケット、  １０１…ＴＦＴ基板、  １０２…カラーフィルタ基板、  １０３…上偏光板、  １０４…下偏光板、  １１３…シール材、  １１４…液晶層、  ２０１…上拡散シート、  ２０２…上プリズムシート、  ２０３…下プリズムシート、  ２０４…下拡散シート、  ２０５…拡散板、  ２０５１…拡散板の凹部。
【図１】
2010002487.tif 000003
【図２】
2010002487.tif 000004
【図３】
2010002487.tif 000005
【図４】
2010002487.tif 000006
【図５】
2010002487.tif 000007
【図６】
2010002487.tif 000008
【図７】
2010002487.tif 000009
【図８】
2010002487.tif 000010
【図９】
2010002487.tif 000011
【図１０】
2010002487.tif 000012
【図１１】
2010002487.tif 000013
【図１２】
2010002487.tif 000014
【図１３】
2010002487.tif 000015
【図１４】
2010002487.tif 000016
【図１５】
2010002487.tif 000017
【図１６】
2010002487.tif 000018